(57)【要約】【課題】液晶表示パネル画面上に発生するノイズを防ぐことが可能な液晶表示装置および液晶テレビジョン装置の提供を目的とする。【解決手段】電源回路１２から３．３Ｖを入力されて３．３Ｖを出力する第一の電圧出力部と、電源回路１２から１３Ｖおよび２１Ｖが並列にを入力されて１０．８Ｖを出力する第二の電圧出力部と、電源回路１２から４０Ｖを入力されて２５Ｖを出力する第三の電圧出力部とを備えるシーケンス回路１３を備え、液晶テレビジョン装置１１の電源がオンされると、液晶表示パネル１１ｃに対して３．３Ｖと１０．８Ｖと２５Ｖとの順に供給されるとともに、液晶テレビジョン装置１１の電源がオフされると２５Ｖと１０．８Ｖと３．３Ｖとが順に電圧の供給を停止される。【選択図】図２
2007288272.tif 000002
【特許請求の範囲】
【請求項１】
アンテナで受信されるテレビ放送信号から選択されているチャンネルのテレビ放送信号を抽出して出力するチューナと、
上記チューナが出力したテレビ放送信号に基く映像を液晶表示パネルに表示する映像処理部と、
上記チューナが出力したテレビ放送信号に基く音声をスピーカから出力する音声処理部と、
液晶テレビジョン装置の各部に電源電圧を供給する電源回路と、
装置全体の動作を制御信号にて制御するマイコンと、
を備える液晶テレビジョン装置において、
上記電源回路から出力される各種電圧を基に各種電圧を生成しつつ、同生成した各種電圧を所定のシーケンスにて上記液晶表示パネルに対して供給するシーケンス回路を備え、
上記シーケンス回路は、
３．３Ｖを入力されてそのまま同３．３Ｖを上記液晶表示パネルに対して出力する３．３Ｖ出力ラインと
ベースが抵抗を介して接地され、ベースとエミッタが抵抗を介して接続されつつ、エミッタに−８Ｖが入力されるＮＰＮ型の第一のトランジスタと、
エミッタが接地されつつ上記マイコンよりベースにＰ−ＯＮ−Ｈ信号のハイレベルが入力されるとオンとなるとともにローレベルが入力されるとオフになるエピタキシャルプレーナＮＰＮ型の第二のトランジスタと、
上記第一のトランジスタのコレクタに抵抗を介してアノードが接続されるとともに上記第二のトランジスタのコレクタに抵抗を介してカソードが接続される第一のツェナダイオードと、
上記ツェナダイオードのカソードとベースが接続されるとともにエミッタとベースとが抵抗を介して接続され、エミッタには４０Ｖが供給されるＰＮＰ型の第三のトランジスタと、
上記第三のトランジスタのコレクタに対して抵抗を介してベースが接続され、エミッタが抵抗を介して接地され、コレクタにそれぞれ抵抗を介して１３Ｖと２１Ｖが並列に供給されるＮＰＮ型の第四のトランジスタと、
上記第三のトランジスタのコレクタに対して抵抗を介してベースが接続されつつコレクタにそれぞれ抵抗を介して１３Ｖと２１Ｖが並列に供給され、エミッタが抵抗を介して接地されるとともに同抵抗と並列に１０．８Ｖを上記液晶表示パネルに対して出力するＮＰＮ型の第五のトランジスタと、
上記第四のトランジスタおよび上記第五のトランジスタのベースにカソードが接続されるとともにアノードが接地された第二のツェナダイオードと、
エミッタが接地されつつ上記マイコンよりベースにＰ−２５Ｖ−ＯＮ信号のハイレベルが入力されるとオンとなるとともにローレベルが入力されるとオフになるエピタキシャルプレーナＮＰＮ型の第六のトランジスタと、
上記第六のトランジスタのコレクタに対してベースが接続されるとともにエミッタとベースが抵抗を介して接続され、エミッタには４０Ｖが供給されているＰＮＰ型の第七のトランジスタと、
上記第七のトランジスタのエミッタに対して抵抗を介してコレクタが接続されるとともにベースが上記第七のトランジスタのコレクタに対して抵抗を介して接続され、エミッタが抵抗を介して接地されるとともに同抵抗と並列に２５Ｖを上記液晶表示パネルに対して出力するＮＰＮ型の第八のトランジスタと、
上記第八のトランジスタのベースにカソードが接続されるとともにアノードが接地される第三のツェナダイオードと、
を備え、
当該液晶テレビジョン装置の電源がオンされると、上記Ｐ−ＯＮ−Ｈ信号がハイレベルとなるとともに次いで上記Ｐ−２５Ｖ−ＯＮ信号もハイレベルとなることにより上記液晶表示パネルに対して３．３Ｖ、１０．８Ｖ、２５Ｖの順に電圧を供給するとともに、当該液晶テレビジョン装置の電源がオフされると上記Ｐ−２５Ｖ−ＯＮ信号もローレベルとなるとともに次いで上記Ｐ−ＯＮ−Ｈ信号がローレベルとなることにより２５Ｖ、１０．８Ｖ、３．３Ｖの順に電圧の供給を停止する
ことを特徴とする液晶テレビジョン装置。
【請求項２】
電源回路より電源電圧を供給されて、入力された映像信号に基く映像を液晶表示パネルに表示する液晶表示装置において、
上記電源回路から出力される各種電圧を基に各種電圧を生成しつつ、同生成した各種電圧を所定のシーケンスにて上記液晶表示パネルに対して供給するシーケンス回路を備え、
上記シーケンス回路は、
第一の入力電圧を入力されて第一の出力電圧を出力する第一の電圧出力部と、
第二の入力電圧を入力されて第二の出力電圧を出力する第二の電圧出力部と、
第三の入力電圧を入力されて第三の出力電圧を出力する第三の電圧出力部と、
を備え、
当該液晶表示装置の電源がオンされると、上記液晶表示パネルに対して第一の出力電圧と上記第二の出力電圧と上記第三の出力電圧とが所定のシーケンスにて供給されるとともに、当該液晶表示装置の電源がオフされると上記第三の出力電圧と上記第二の出力電圧と上記第一の出力電圧とが所定のシーケンスにて電圧の供給を停止される
ことを特徴とする液晶表示装置。
【請求項３】
上記第二の電圧出力部は、複数のスイッチングトランジスタが接続されて多段的に構成され、同複数のスイッチングトランジスタのいずれかまたは組み合わせのベースに対して、スイッチングトランジスタがオンとなるときに順方向電流が流れるような方向にツェナダイオードが接続されている
ことを特徴とする上記請求項２に記載の液晶表示装置。
【発明の詳細な説明】
【技術分野】
【０００１】
本発明は、電源電圧を供給されて所定のシーケンスに従って複数の電源電圧を液晶表示パネルに供給するシーケンス回路を備える液晶表示装置と、当該シーケンス回路を搭載した液晶テレビジョン装置に関する。
【背景技術】
【０００２】
液晶表示装置や液晶テレビジョン装置において液晶表示パネルには所定のケーブルを介して複数種類の電圧が供給される。液晶表示パネルはこれら複数種類の電圧が所定のシーケンスに従って印加されることによって正常動作する。従って、複数種類の電圧は、供給を開始する順番と供給を停止する順番とがそれぞれ決まっており、所定のシーケンスにて供給と停止とが行われなければならない。
【０００３】
図３に従来の液晶表示装置および液晶テレビジョン装置におけるシーケンス回路の回路図を示した。同回路は、電源回路から供給される複数種類の電圧から複数種類の電圧を生成し、所定のシーケンスに従って液晶表示装置の液晶表示パネルに供給の開始および供給の停止を行う。なお、同回路図ではシーケンス制御に不要な部分は省略してある。
【０００４】
まず、液晶表示装置がオンとなったときのシーケンス回路の動作を説明する。図３において、液晶表示装置の電源がオンとなり、電源回路から電圧供給が開始されると、所定のタイミングでＨｉｇｈ（ハイレベル）のＰ−ＯＮ−Ｈ信号とＨｉｇｈ（ハイレベル）のＰ−２５Ｖ−ＯＮ信号とがそれぞれ入力され、トランジスタＱ５０７とトランジスタＱ５１１とがオンされて、シーケンス回路のシーケンスが開始される。
【０００５】
３．３Ｖが入力されると、そのまま３．３Ｖを液晶表示パネルに出力する（シーケンス１）。次に、−８ＶがトランジスタＱ５１３のエミッタに印加されてベース−エミッタ間に電位差が発生しトランジスタＱ５１３がオンとなる（シーケンス２）。これにより、トランジスタＱ５１３のエミッターコレクタラインを介して抵抗Ｒ５１７に−８Ｖが供給され、抵抗Ｒ５１７を介して−６Ｖが液晶表示パネルに対して供給される。
【０００６】
また、−８Ｖが抵抗Ｒ５１７、ツェナダイオードＤ５１９、抵抗Ｒ５１８を介してトランジスタＱ５０９のベースにも供給される。このとき、トランジスタＱ５０９のエミッタには電源回路より供給された４０Ｖが印加されている。ここで、抵抗Ｒ５１８と並列にトランジスタＱ５０９のベースに接続されたＲ５１１の他方の端子には、トランジスタＱ５０７のコレクタ端子が接続されており、同トランジスタＱ５０７のエミッタは接地されるとともに同トランジスタＱ５０７のベースにはＰ−ＯＮ−Ｈ信号が入力されてオンになっている。Ｐ−ＯＮ−Ｈ信号とは、液晶表示装置の電源がオンとなるとハイレベル（所定電圧）となり、オフとなるとローレベル（０Ｖ）となる制御信号である。
【０００７】
従って、トランジスタＱ５０９がオン（シーケンス３）となり、抵抗Ｒ５０８を介して４０ＶラインからトランジスタＱ５０５のベースおよびトランジスタＱ５０５’のベースに電圧が供給される。このときツェナダイオードＤ５０３のツェナ降伏により両トランジスタＱ５０５，Ｑ５０５’のベースにかかる電圧は所定の電圧まで降下されている。
【０００８】
すると、トランジスタＱ５０５がオンとなる（シーケンス４）とともにトランジスタＱ５０５’もオンとなり（シーケンス５）、１３Ｖラインと２１Ｖラインとから供給される電圧がそれぞれ抵抗Ｒ５０９と抵抗Ｒ５３４とを介して１０．８Ｖとして液晶表示パネルに出力される。
【０００９】
一方、トランジスタＱ５０２は、抵抗Ｒ５５２を介してエミッタに４０Ｖが印加されるとともに、ベースにはＱ５１１を介して接地へと引き込まれるため、オンとなる。すると、トランジスタＱ５０１のベースには、４０Ｖが抵抗５５２とトランジスタＱ５０２のエミッタ−コレクタと抵抗Ｒ５０５とを介して印加され、トランジスタＱ５０１がオンとなる（シーケンス６）。従って、トランジスタＱ５０１のエミッタ−コレクタを介して液晶表示パネルに２５Ｖが出力される。
【００１０】
次に、液晶表示装置がオフされたときのシーケンス回路の動作を説明する。図３において、液晶表示装置の電源がオフとなると、以下のシーケンスに従って液晶表示パネルへの電圧供給が停止されていく。
【００１１】
液晶表示装置がオフされると、まず、トランジスタＱ５１１のベースに印加されるＰ−２５Ｖ−ＯＮ信号がローレベル（０Ｖ）となり、トランジスタＱ５１１がオフとなる。これによりトランジスタＱ５０２がオフとなり，次いでトランジスタＱ５０１もオフとなる（シーケンス１１）。従って、液晶表示パネルに対する２５Ｖの供給が停止される。
【００１２】
次に、トランジスタＱ５０７のベースに印加されるＰ−ＯＮ−Ｈ信号がローレベル（０Ｖ）となり、、トランジスタＱ５０７がオフとなる。しかしながら、抵抗Ｒ５１８を介して電流が流れ続けるためＱ５０９のベース−エミッタ間に電位差が発生しＱ５０９はオフにならない。従って、トランジスタＱ５０５およびＱ５０５’も、この時点ではオフにならない。このため、液晶表示パネルに対して１０．８Ｖは出力され続ける。
【００１３】
そして、３．３Ｖを含めた電源回路からの電圧供給が停止されると、トランジスタＱ５１０がオフとなり、それに続いてトランジスタＱ５１３もオフとなる（シーケンス１３）。同時に４０Ｖの電圧供給も停止されるが、４０Ｖの電荷が残っているため同電荷が放電されるまでＲ５１８に電圧がかかったままとなり、トランジスタＱ５０９がすぐにオフしない。放電終了後、トランジスタＱ５０９がオフとなり、次いで、トランジスタＱ５０５，Ｑ５０５’もオフとなり（シーケンス１２）、液晶表示パネルに対する１０．８Ｖの供給が停止される。
【００１４】
特許文献１には、主電源電圧が所定のレベルよりも低くなると、短絡部の制御端子がダイオードを介して表示電源線に接続され、短絡部がオンとなり、表示電圧をグランドに放電する表示装置用パワーダウンショート回路について開示されている。
【００１５】
特許文献２には、電圧降下手段が共通電極の電位の立ち下がりを、ゲート電圧の電位の立ち下がりよりも遅らせる画像表示パネルの放電装置について開示されている。
【特許文献１】特開２００５−３３１９２７号
【特許文献２】特開２００３−１２２３１１号
【発明の開示】
【発明が解決しようとする課題】
【００１６】
上述した従来のシーケンス回路においては、電圧の供給を停止するシーケンスにおいて、トランジスタＱ５０７がオフしてもトランジスタＱ５０９がオフせず、本来シーケンス１１，１２，１３の順で電圧の供給停止が行われなければならないのに、シーケンス１１，１３、１２の順に電源の供給が停止されでしまっていた。そのため、シーケンス１３が終了するまで抵抗Ｒ５１８に電圧がかかったままとなり、Ｑ５０９の出力電圧が出続けることになり、画面上に白線状のノイズが発生していた。また、上記特許文献１および特許文献２は、いずれも複数の電源を所定のシーケンスにて供給する回路に関するものではない。
【００１７】
本発明は、上記課題にかんがみてなされたもので、ＡＣオフ時に特定電圧の電荷が残らないようにしたシーケンス回路を搭載することにより、液晶表示パネル画面上に発生するノイズを防ぐことが可能な液晶表示装置および液晶テレビジョン装置の提供を目的とする。
【課題を解決するための手段】
【００１８】
上記課題を解決するために、本発明の請求項１にかかる発明では、アンテナで受信されるテレビ放送信号から選択されているチャンネルのテレビ放送信号を抽出して出力するチューナと、上記チューナが出力したテレビ放送信号に基く映像を液晶表示パネルに表示する映像処理部と、上記チューナが出力したテレビ放送信号に基く音声をスピーカから出力する音声処理部と、液晶テレビジョン装置の各部に電源電圧を供給する電源回路と、本体の動作を制御するマイコンと、を備える液晶テレビジョン装置において、上記電源回路から出力される各種電圧を基に各種電圧を生成しつつ、同生成した各種電圧を所定のシーケンスにて上記液晶表示パネルに対して供給するシーケンス回路を備え、上記シーケンス回路は、３．３Ｖを入力されてそのまま同３．３Ｖを上記液晶表示パネルに対して出力する３．３Ｖ出力ラインとベースが抵抗を介して接地され、ベースとエミッタが抵抗を介して接続されつつ、エミッタに−８Ｖが入力されるＮＰＮ型の第一のトランジスタと、エミッタが接地されつつベースにＰ−ＯＮ−Ｈ信号のハイレベルが入力されるとオンとなるとともにローレベルが入力されるとオフになるエピタキシャルプレーナＮＰＮ型の第二のトランジスタと、上記第一のトランジスタのコレクタに抵抗を介してアノードが接続されるとともに上記第二のトランジスタのコレクタに抵抗を介してカソードが接続される第一のツェナダイオードと、上記ツェナダイオードのカソードとベースが接続されるとともにエミッタとベースとが抵抗を介して接続され、エミッタには４０Ｖが供給されるＰＮＰ型の第三のトランジスタと、上記第三のトランジスタのコレクタに対して抵抗を介してベースが接続され、エミッタが抵抗を介して接地され、コレクタにそれぞれ抵抗を介して１３Ｖと２１Ｖが並列に供給されるＮＰＮ型の第四のトランジスタと、上記第三のトランジスタのコレクタに対して抵抗を介してベースが接続されつつコレクタにそれぞれ抵抗を介して１３Ｖと２１Ｖが並列に供給され、エミッタが抵抗を介して接地されるとともに同抵抗と並列に１０．８Ｖを上記液晶表示パネルに対して出力するＮＰＮ型の第五のトランジスタと、上記第四のトランジスタおよび上記第五のトランジスタのベースにカソードが接続されるとともにアノードが接地された第二のツェナダイオードと、エミッタが接地されつつベースにＰ−２５Ｖ−ＯＮ信号のハイレベルが入力されるとオンとなるとともにローレベルが入力されるとオフになるエピタキシャルプレーナＮＰＮ型の第六のトランジスタと、上記第六のトランジスタのコレクタに対してベースが接続されるとともにエミッタとベースが抵抗を介して接続され、エミッタには４０Ｖが供給されているＰＮＰ型の第七のトランジスタと、上記第七のトランジスタのエミッタに対して抵抗を介してコレクタが接続されるとともにベースが上記第七のトランジスタのコレクタに対して抵抗を介して接続され、エミッタが抵抗を介して接地されるとともに同抵抗と並列に２５Ｖを上記液晶表示パネルに対して出力するＮＰＮ型の第八のトランジスタと、上記第八のトランジスタのベースにカソードが接続されるとともにアノードが接地される第三のツェナダイオードと、を備え、当該液晶テレビジョン装置の電源がオンされると、上記Ｐ−ＯＮ−Ｈ信号がハイレベルとなるとともに次いで上記Ｐ−２５Ｖ−ＯＮ信号もハイレベルとなることにより上記液晶表示パネルに対して３．３Ｖ、１０．８Ｖ、２５Ｖの順に電圧を供給するとともに、当該液晶テレビジョン装置の電源がオフされると上記Ｐ−２５Ｖ−ＯＮ信号もローレベルとなるとともに次いで上記Ｐ−ＯＮ−Ｈ信号がローレベルとなることにより２５Ｖ、１０．８Ｖ、３．３Ｖの順に電圧の供給を停止する構成としてある。
上記のように構成した請求項１にかかる発明においては、液晶テレビジョン装置がオンとなると、まず、３．３Ｖがそのまま上記３．３Ｖラインを経由して上記液晶表示装置に対して供給される。次いで、第一のトランジスタがオンとなり、上記マイコンよりＰ−２５Ｖ−ＯＮ信号のハイレベルが入力されると上記第二のトランジスタがオンとなり、第三のトランジスタ、第四および第五のトランジスタの順でオンとなって１０．８Ｖが上記液晶表示パネルに対して供給される。そして、上記Ｐ−ＯＮ−Ｈ信号のハイレベルより遅れてＰ−２５Ｖ−ＯＮ信号のハイレベルが上記第六のトランジスタのベースに入力されて同第六のトランジスタがオンとなり、これにより第七のトランジスタがオンとなって、さらに第八のトランジスタがオンとなるため上記液晶表示パネルに２５Ｖが供給される。
【００１９】
また、液晶テレビジョン装置がオフとなると、まず、上記Ｐ−２５Ｖ−ＯＮ信号がローレベルとなり第六のトランジスタがオフとなるため、上記第七のトランジスタおよび上記第八のトランジスタもオフとなる。次いで、上記Ｐ−２５Ｖ−ＯＮ信号のローレベルより送れて上記Ｐ−ＯＮ−Ｈ信号もローレベルとなるため、上記第二のトランジスタがオフとなる。このとき、上記第三のトランジスタのベースに印加される電圧が、上記第一のツェナダイオードにて決定されるツェナ電圧にまで下がると上記第三のトランジスタのベースから上記第一のトランジスタのコレクタに電流が流れなくなり、第三のトランジスタがオフとなる。そして、上記電源回路からの電源電圧供給が停止されると上記液晶表示パネルに対する３．３Ｖの供給が停止され、第一のトランジスタもオフとなる。
【００２０】
また、上記目的を達成するために、請求項２に記載の液晶表示装置では、電源回路より電源電圧を供給されて、入力された映像信号に基く映像を液晶表示パネルに表示する液晶表示装置において、上記電源回路から出力される各種電圧を基に各種電圧を生成しつつ、同生成した各種電圧を所定のシーケンスにて上記液晶表示パネルに対して供給するシーケンス回路を備え、上記シーケンス回路は、第一の入力電圧を入力されて第一の出力電圧を出力する第一の電圧出力部と、第二の入力電圧を入力されて第二の出力電圧を出力する第二の電圧出力部と、第三の入力電圧を入力されて第三の出力電圧を出力する第三の電圧出力部と、を備え、当該液晶表示装置の電源がオンされると、上記液晶表示パネルに対して第一の出力電圧と上記第二の出力電圧と上記第三の出力電圧とが所定のシーケンスにて供給されるとともに、当該液晶表示装置の電源がオフされると上記第三の出力電圧と上記第二の出力電圧と上記第一の出力電圧とが所定のシーケンスにて電圧の供給を停止される構成としてある。
上記のように構成した請求項２にかかる発明において、上記第一の入力電圧と上記第二の入力電圧と上記第三の入力電圧とは、それぞれ上記第一の出力電圧と上記第二の出力電圧と上記第三の出力電圧以下の電圧とされ、各入力電圧は上記電源回路から出力される複数の出力電圧のうち任意の複数の電圧を組み合わせて入力されることにより構成されても構わない。また、所定のシーケンスとしては、様々なシーケンスが採用可能であるが、特に後述する実施例においては、上記液晶表示パネルに対して電源を供給するシーケンスと上記液晶表示パネルに供給する電圧を停止させるシーケンスとが逆順のシーケンスとしている。これにより、上記液晶表示パネルを駆動するのに複数種類の電圧を必要とし、かつ、その複数種類の電圧の入力順および供給停止順が予め定められているときに、同入力順および供給停止順に従ったシーケンスにて電圧を上記液晶表示パネルに供給および停止することができる。
【００２１】
そして、請求項３にかかる発明では、上記請求項２に記載の液晶表示装置において、上記第二の電圧出力部は、複数のスイッチングトランジスタが接続されて多段的に構成され、同複数のスイッチングトランジスタのいずれかまたは組み合わせのベースに対して、スイッチングトランジスタがオンとなるときに順方向電流が流れるような方向にツェナダイオードが接続されている構成としてある。
上記のように構成した請求項３にかかる発明において、複数のスイッチングトランジスタを多段的に組み合わせることにより、出力電圧を目的の値にすることが容易となるとともに、出力電圧を出力するタイミングをコントロールしやすくなる。また、電圧の供給を停止するシーケンスにおいて、複数のスイッチングトランジスタ間のいずれかまたは組み合わせのベースに対してツェナダイオードを配することにより、スイッチングトランジスタがオフされるまでに要する時間が短くなるようにコントロールすることが可能となり、スイッチングトランジスタのベース−エミッタ間に印加される電圧に関わらず、所望の時間にてスイッチングトランジスタがオフとなるようにコントロールすることが可能となる。
【発明の効果】
【００２２】
以上説明したように本発明によれば、液晶表示パネルを駆動するための複数種類の電圧の入力順および供給停止順に従ったシーケンスにて電圧を上記液晶表示パネルに供給および停止することが可能な液晶表示装置および液晶テレビジョン装置を提供することができる。従って、ＡＣオフ時に特定電圧の電荷が残らななくなり、液晶表示パネル画面上に発生するノイズを防ぐことができる。
【００２３】
また請求項３にかかる発明によれば、スイッチングトランジスタがオフされるまでに要する時間が短くなるようにコントロールすることが可能となり、スイッチングトランジスタのベース−エミッタ間に印加される電圧に関わらず、所望の時間にてスイッチングトランジスタがオフとなるようにコントロールすることが可能となる。
さらに請求項１のような、より具体的な構成において、上述した請求項２および請求項３の各発明と同様の作用を奏することはいうまでもない。
【発明を実施するための最良の形態】
【００２４】
以下、下記の順序に従って本発明の実施形態を説明する。
（１）液晶テレビジョン装置の構成：
（２）シーケンス回路：
（３）まとめ：
【００２５】
（１）液晶テレビジョン装置の構成： 
以下、本考案を具体化した実施例について説明する。図１に、液晶テレビジョン装置の概略構成を説明するブロック図を示す。
【００２６】
同図において、液晶テレビジョン装置１１は、本体の動作を制御するマイコン１１ａと、図示していないアンテナで受信されるテレビ放送信号から選択されているチャンネルのテレビ放送信号を抽出して出力するチューナ１１ｂと、該チューナ１１ｂが出力したテレビ放送信号に基く映像を液晶表示パネル１１ｃに表示する映像処理部１１ｄと、該チューナ１１ｂが出力したテレビ放送信号に基く音声をスピーカ１１ｅから出力する音声処理部１１ｆと、リモコン１１ｇから送信されてきた操作コマンドを受信するリモコン受信部１１ｈと、液晶テレビジョン装置１１の各部に電源電圧を供給する電源回路１２と、から構成されている。
【００２７】
マイコン１１ａは、リモコン受信部１１ｈで受信した制御コマンドに応じて、後述するＰ−ＯＮ−Ｈ信号などの制御信号を出力することにより各部を制御している。
【００２８】
電源回路１２には外部より商用電源（例えば、ＡＣ１００Ｖ）が供給されており、供給された電源電圧を各種電圧に変換して、液晶テレビジョン装置１１の各部に動作電源として供給している。中でも、液晶表示パネル１１ｃには、電源回路１２からの電源電圧がシーケンス回路１３を介して供給されている。シーケンス回路１３は、液晶テレビジョン装置１１がオンとなると、電源回路から供給される複数種類の電圧を基に、複数種類の電圧を生成しつつ同複数種類の電圧を所定のシーケンスに従って順に液晶表示パネル１１ｃに供給していく。また、シーケンス回路１３は、液晶テレビジョン装置１１がオフとなると、所定のシーケンスに従って液晶表示パネル１１ｃに供給している電圧の供給停止を行う。電源回路１２には、外部から商用電源（例えば、ＡＣ１００Ｖ）が供給されている。
【００２９】
（２）シーケンス回路： 
図２に、本実施例にかかる液晶表示パネル１１ｃに所定のシーケンスに従って電圧の供給および停止を行うシーケンス回路１３を示した。同シーケンス回路１３は、マイコン１１ａの制御信号に従って、電源回路１２より複数種類の電圧を供給されて複数種類の電圧を生成しつつ、所定のシーケンスに従って液晶表示パネル１１ｃに電圧の供給開始および停止を行う。なお、同回路図ではシーケンス制御に不要な部分は省略してある。
【００３０】
＜構成＞
図２において、シーケンス回路１３は、概略、トランジスタＱ５１３，Ｑ５１７，Ｑ５０９，Ｑ５０５，Ｑ５０５’，Ｑ５１１，Ｑ５０２，Ｑ５０１と、抵抗Ｒ５２０、Ｒ５１６、Ｒ５１７，Ｒ５１８，Ｒ５１３，Ｒ５１１，Ｒ５１２，Ｒ５０８，Ｒ５３４，Ｒ５０９，Ｒ５２２，Ｒ５５２，Ｒ５３２，Ｒ５２７，Ｒ５１０，Ｒ５０５，Ｒ５０４，Ｒ５２８と、ツェナダイオードＤ５０７，Ｄ５１９，Ｄ５０３，Ｄ５０２，とから構成される。また、シーケンス回路には、３．３Ｖと２１Ｖと−８Ｖと１３Ｖと４０Ｖとがそれぞれ３．３Ｖラインと２１Ｖラインと−８Ｖラインと１３Ｖラインと４０Ｖラインとから供給されている。
【００３１】
上記３．３Ｖラインは、３．３Ｖを入力されてそのまま同３．３Ｖを液晶表示パネル１１ｃに対して出力する。
【００３２】
トランジスタＱ５１３は、ＮＰＮ型のトランジスタであり、ベースが抵抗Ｒ５１６およびＲ５２２を介して接地され、ベースとエミッタが抵抗Ｒ５２０を介して接続されつつ、エミッタに上記−８Ｖラインより−８Ｖが入力される。トランジスタＱ５１３は、第一のトランジスタを構成し、３．３Ｖが第一の入力電圧に相当し、３．３Ｖが第一の出力電圧に相当し、３．３Ｖラインが第一の電圧出力部を構成する。
【００３３】
トランジスタＱ５０７（型番：ＫＲＣ１０３Ｍ）は、エピタキシャルプレーナＮＰＮ型のトランジスタであり、エミッタが接地されつつ抵抗Ｒ５１３を介してベースにＰ−ＯＮ−Ｈ信号のハイレベルが入力されるとオンとなる。トランジスタＱ５０７は第二のトランジスタを構成する。Ｐ−ＯＮ−Ｈ信号とは、液晶テレビジョン装置１１の電源がオンとなるとハイレベル（所定電圧）となり、オフとなるとローレベル（０Ｖ）となる制御信号であり、マイコン１１ａより出力される。
【００３４】
ツェナダイオードＤ５１９（型番：ＭＴＺＪ−３６Ｂ）は、トランジスタＱ５１３のコレクタに抵抗Ｒ５１７を介してアノードが接続されるとともにトランジスタＱ５０７のコレクタに抵抗Ｒ５１８、抵抗Ｒ５１１を介してカソードが接続される。ツェナダイオードＤ５１９は、第一のツェナダイオードを構成する。
【００３５】
トランジスタＱ５０９は、ＰＮＰ型のトランジスタであり、ツェナダイオードＤ５１９のカソードに対してベースが接続されるとともにエミッタとベースとが抵抗Ｒ５１２を介して接続され、エミッタには４０Ｖラインより４０Ｖが供給される。トランジスタＱ５０９は、第三のトランジスタを構成する。
【００３６】
トランジスタＱ５０５は、ＮＰＮ型のトランジスタであり、トランジスタＱ５０９のコレクタに対して抵抗Ｒ５０８を介してベースが接続され、エミッタが抵抗Ｒ５２２を介して接地され、コレクタにそれぞれ抵抗Ｒ５０９および抵抗Ｒ５３４を介して１３Ｖおよび２１Ｖが並列に供給される。トランジスタＱ５０５は、第四のトランジスタを構成し、並列に供給される１３Ｖおよび２１Ｖが第二の入力電圧を構成する。
【００３７】
トランジスタＱ５０５’は、ＮＰＮ型のトランジスタであり、トランジスタＱ５０９のコレクタに対して抵抗Ｒ５０８を介してベースが接続され、エミッタが抵抗Ｒ５２２を介して接地され、コレクタにそれぞれ抵抗Ｒ５０９および抵抗Ｒ５３４を介して１３Ｖおよび２１Ｖが並列に供給される。トランジスタＱ５０５は、第五のトランジスタを構成する。上記トランジスタＱ５０５と上記トランジスタＱ５０５’のコレクタは互いに接続されつつ抵抗Ｒ５２２と並列に１０．８Ｖを上記液晶表示パネルに対して出力する。よって、１０．８Ｖが第二の出力電圧に相当し、トランジスタＱ５１３、Ｑ５０７、Ｑ５０９、Ｑ５０５、Ｑ５０５’と抵抗Ｒ５１６，Ｒ５２０，Ｒ５１７，Ｒ５１８，Ｒ５１１，Ｒ５１３，Ｒ５１２，Ｒ５１８，Ｒ５０９，Ｒ５３４，Ｒ５２２と、ツェナダイオードＤ５１９、Ｄ５０３、Ｄ５０７とが第二の電圧出力部を構成する。
【００３８】
ツェナダイオード５０３は、トランジスタＱ５０５およびトランジスタＱ５０５’のベースにカソードが接続されるとともにアノードが接地され、トランジスタＱ５０５およびトランジスタＱ５０５’のベースに印加される電圧が所定値を超えないようなツェナ電圧を有する。
【００３９】
トランジスタＱ５１１は、エピタキシャルプレーナＮＰＮ型トランジスタであり、エミッタが接地されつつベースにＰ−２５Ｖ−ＯＮ信号のハイレベルが入力されるとオンとなる。Ｐ−２５Ｖ−ＯＮ信号とは、液晶テレビジョン装置１１の電源がオンとなるとハイレベル（所定電圧）となり、オフとなるとローレベル（０Ｖ）となる制御信号であり、上記Ｐ−ＯＮ−Ｈ信号よりも遅れてマイコン１１ａより出力される。トランジスタＱ５１１は、第六のトランジスタを構成する。
【００４０】
トランジスタＱ５０２は、ＰＮＰ型のトランジスタであり、トランジスタＱ５１１のコレクタに対してベースが接続されるとともにエミッタとベースが抵抗Ｒ５２７を介して接続され、エミッタには上記４０Ｖラインより抵抗Ｒ５５２を介して４０Ｖが供給されている。トランジスタＱ５０２は、第七のトランジスタを構成する。
【００４１】
トランジスタＱ５０１は、ＮＰＮ型のトランジスタであり、トランジスタＱ５０２のエミッタに対して抵抗Ｒ５０５を介してコレクタが接続されるとともにベースがトランジスタＱ５０１のコレクタに対して抵抗Ｒ５０４を介して接続され、エミッタが抵抗Ｒ５２８を介して接地されるとともに同抵抗Ｒ５２８と並列に２５Ｖを液晶表示パネル１１ｃに対して出力する。トランジスタＱ５０１は、第八のトランジスタを構成する。
【００４２】
ツェナダイオードＤ５０２は、トランジスタＱ５０１のベースにカソードが接続されるとともにアノードが接地されており、トランジスタＱ５０１のベースに印加される電圧が一定となるようなツェナ電圧を有する。ツェナダイオードＤ５０２は第三のツェナダイオードを構成する。よって、４０Ｖが第三の入力電圧に相当し、２５Ｖが第三の出力電圧に相当する。また、トランジスタＱ５１１、Ｑ５０２，Ｑ５０１と抵抗Ｒ５５２，Ｒ５２７，Ｒ５１０，Ｒ５０５，Ｒ５０４，Ｒ５２８とツェナダイオードＤ５０２が第三の電圧出力部を構成する。
【００４３】
＜動作＞
次に、液晶テレビジョン装置１１がオンとなり、電源の供給が開始されたときのシーケンス回路１３の動作を説明する。図２において、液晶テレビジョン装置１１の電源がオンとなり、電源回路１２から電圧供給が開始されると、各種電圧がシーケンス回路１３に供給される。
【００４４】
３．３Ｖが入力されると、そのまま３．３Ｖを液晶表示パネル１１ｃに出力する（シーケンス１０１）次に、−８ＶがトランジスタＱ５１３のエミッタに印加されてベース−エミッタ間に電位差が発生しトランジスタＱ５１３がオンとなる（シーケンス１０２）。これにより、トランジスタＱ５１３のエミッターコレクタラインを介して抵抗Ｒ５１７に−８Ｖが供給され、抵抗Ｒ５１７を介して−６Ｖが液晶表示パネルに対して供給される。
【００４５】
また、−８Ｖは抵抗Ｒ５１７、ツェナダイオードＤ５１９、抵抗Ｒ５１８を介してトランジスタＱ５０９のベースにも供給される。このとき、トランジスタＱ５０９のエミッタには電源回路１２より供給された４０Ｖが印加されている。
【００４６】
ここで、抵抗Ｒ５１８と並列にトランジスタＱ５０９のベースに接続されたＲ５１１の他方の端子には、トランジスタＱ５０７のコレクタ端子が接続されるとともに同トランジスタＱ５０７のエミッタは接地されており、同トランジスタＱ５０７のベースにはＰ−ＯＮ−Ｈ信号が入力される。
【００４７】
従って、トランジスタＱ５０９がオン（シーケンス１０３）となり、抵抗Ｒ５０８を介して４０ＶラインからトランジスタＱ５０５のベースおよびトランジスタＱ５０５’のベースに電圧が供給される。このときツェナダイオードＤ５０３のツェナ降伏により両トランジスタＱ５０５，Ｑ５０５’のベースにかかる電圧は所定の電圧まで降下されている。
【００４８】
すると、トランジスタＱ５０５がオンとなる（シーケンス１０４）とともにトランジスタＱ５０５’もオンとなり（シーケンス１０５）、１３Ｖラインと２１Ｖラインとから供給される電圧がそれぞれ抵抗Ｒ５０９と抵抗Ｒ５３４とを介して１０．８Ｖとして液晶表示パネル１１ｃに出力される。
【００４９】
一方、抵抗Ｒ５５２を介してエミッタに４０Ｖが印加されるトランジスタＱ５０２は、同様にベースにも４０Ｖが抵抗Ｒ５２７にて減圧されて印加されるためオンとなる（シーケンス１０６）。すると、トランジスタＱ５０２のエミッタ−コレクタを介して抵抗Ｒ５０５に４０Ｖが供給され、トランジスタＱ５０１のベースに電圧が印加されて同トランジスタＱ５０１がオンとなる。すると、トランジスタＱ５０１のエミッタ−コレクタを介して液晶表示パネル１１ｃに２５Ｖが出力される。
【００５０】
次に、液晶表示装置がオフされたときのシーケンス回路の動作を説明する。図３において、液晶表示装置の電源がオフとなり、電源回路から電圧供給が停止されると、以下のシーケンスに従って液晶表示パネルへの電圧供給が停止されていく。
【００５１】
電源の供給が停止されると、まず、トランジスタＱ５１１のベースがＰ−２５Ｖ−ＯＮ信号によりローレベル（０Ｖ）となるためトランジスタＱ５１１がオフとなり、これによりトランジスタＱ５０２，Ｑ５０１がオフとなる（シーケンス１１１）。従って、液晶表示パネルに対する２５Ｖの供給が停止される。
【００５２】
次に、トランジスタＱ５０７のベースに印加されるＰ−ＯＮ−Ｈ信号がローレベル（０Ｖ）となり、、トランジスタＱ５０７がオフとなる。すると、抵抗Ｒ５１８を介して電流が流れ続けるためＱ５０９のベース−エミッタ間に電位差が発生しＱ５０９はオフにならない。従って、トランジスタＱ５０５およびＱ５０５’も、この時点ではオフにならない。このため、液晶表示パネルに対して１０．８Ｖは出力され続ける。
【００５３】
そして、３．３Ｖを含めた電源回路からの電圧供給が停止されると、トランジスタＱ５１０がオフとなり、それに続いてトランジスタＱ５１３もオフとなる（シーケンス１３）。同時に４０Ｖの電圧供給も停止され、るが、４０Ｖの電荷が残っているため同電荷が放電されるまでＲ５１８に電圧がかかったままとなり、トランジスタＱ５０９がすぐにオフしない。放電終了後、トランジスタＱ５０９がオフとなり、次いで、トランジスタＱ５０５，Ｑ５０５’もオフとなり（シーケンス１２）、液晶表示パネルに対する１０．８Ｖの供給が停止される。
【００５４】
（３）まとめ： 
つまり、電源回路１２から３．３Ｖを入力されて３．３Ｖを出力する第一の電圧出力部と、電源回路１２から１３Ｖおよび２１Ｖが並列にを入力されて１０．８Ｖを出力する第二の電圧出力部と、電源回路１２から４０Ｖを入力されて２５Ｖを出力する第三の電圧出力部とを備えるシーケンス回路１３を備え、液晶テレビジョン装置１１の電源がオンされると、液晶表示パネル１１ｃに対して３．３Ｖと１０．８Ｖと２５Ｖとの順に供給されるとともに、液晶テレビジョン装置１１の電源がオフされると２５Ｖと１０．８Ｖと３．３Ｖとが順に電圧の供給を停止される。
【００５５】
また、上記目的を達成するために、請求項２に記載の液晶表示装置では、電源回路より電源電圧を供給されて、入力された映像信号に基く映像を液晶表示パネルに表示する液晶表示装置において、上記電源回路から出力される各種電圧を基に各種電圧を生成しつつ、同生成した各種電圧を所定のシーケンスにて上記液晶表示パネルに対して供給するシーケンス回路を備え、上記シーケンス回路は、第一の入力電圧を入力されて第一の出力電圧を出力する第一の電圧出力部と、第二の入力電圧を入力されて第二の出力電圧を出力する第二の電圧出力部と、第三の入力電圧を入力されて第三の出力電圧を出力する第三の電圧出力部と、を備え、当該液晶表示装置の電源がオンされると、上記液晶表示パネルに対して第一の出力電圧と上記第二の出力電圧と上記第三の出力電圧とが所定のシーケンスにて供給されるとともに、当該液晶表示装置の電源がオフされると上記第三の出力電圧と上記第二の出力電圧と上記第一の出力電圧とが所定のシーケンスにて電圧の供給を停止される構成としてある。
上記のように構成した請求項２にかかる発明において、上記第一の入力電圧と上記第二の入力電圧と上記第三の入力電圧とは、それぞれ上記第一の出力電圧と上記第二の出力電圧と上記第三の出力電圧以下の電圧とされ、各入力電圧は上記電源回路から出力される複数の出力電圧のうち任意の複数の電圧を組み合わせて入力されることにより構成されても構わない。また、所定のシーケンスとしては、様々なシーケンスが採用可能であるが、特に後述する実施例においては、上記液晶表示パネルに対して電源を供給するシーケンスと上記液晶表示パネルに供給する電圧を停止させるシーケンスとが逆順のシーケンスとしている。これにより、上記液晶表示パネルを駆動するのに複数種類の電圧を必要とし、かつ、その複数種類の電圧の入力順および供給停止順が予め定められているときに、同入力順および供給停止順に従ったシーケンスにて電圧を上記液晶表示パネルに供給および停止することができる。
【００５６】
そして、請求項３にかかる発明では、上記請求項２に記載の液晶表示装置において、上記第二の電圧出力部は、複数のスイッチングトランジスタが接続されて多段的に構成され、同複数のスイッチングトランジスタのいずれかまたは組み合わせのベースに対して、スイッチングトランジスタがオンとなるときに順方向電流が流れるような方向にツェナダイオードが接続されている構成としてある。
上記のように構成した請求項３にかかる発明において、複数のスイッチングトランジスタを多段的に組み合わせることにより、出力電圧を目的の値にすることが容易となるとともに、出力電圧を出力するタイミングをコントロールしやすくなる。また、電圧の供給を停止するシーケンスにおいて、複数のスイッチングトランジスタ間のいずれかまたは組み合わせのベースに対してツェナダイオードを配することにより、スイッチングトランジスタがオフされるまでに要する時間が短くなるようにコントロールすることが可能となり、スイッチングトランジスタのベース−エミッタ間に印加される電圧に関わらず、所望の時間にてスイッチングトランジスタがオフとなるようにコントロールすることが可能となる。
【００５７】
以上の構成を踏まえた上で、本発明の請求項１にかかる発明では、アンテナで受信されるテレビ放送信号から選択されているチャンネルのテレビ放送信号を抽出して出力するチューナと、上記チューナが出力したテレビ放送信号に基く映像を液晶表示パネルに表示する映像処理部と、上記チューナが出力したテレビ放送信号に基く音声をスピーカから出力する音声処理部と、液晶テレビジョン装置の各部に電源電圧を供給する電源回路と、本体の動作を制御するマイコンと、を備える液晶テレビジョン装置において、上記電源回路から出力される各種電圧を基に各種電圧を生成しつつ、同生成した各種電圧を所定のシーケンスにて上記液晶表示パネルに対して供給するシーケンス回路を備え、上記シーケンス回路は、３．３Ｖを入力されてそのまま同３．３Ｖを上記液晶表示パネルに対して出力する３．３Ｖ出力ラインとベースが抵抗を介して接地され、ベースとエミッタが抵抗を介して接続されつつ、エミッタに−８Ｖが入力されるＮＰＮ型の第一のトランジスタと、エミッタが接地されつつベースにＰ−ＯＮ−Ｈ信号のハイレベルが入力されるとオンとなるとともにローレベルが入力されるとオフになるエピタキシャルプレーナＮＰＮ型の第二のトランジスタと、上記第一のトランジスタのコレクタに抵抗を介してアノードが接続されるとともに上記第二のトランジスタのコレクタに抵抗を介してカソードが接続される第一のツェナダイオードと、上記ツェナダイオードのカソードとベースが接続されるとともにエミッタとベースとが抵抗を介して接続され、エミッタには４０Ｖが供給されるＰＮＰ型の第三のトランジスタと、上記第三のトランジスタのコレクタに対して抵抗を介してベースが接続され、エミッタが抵抗を介して接地され、コレクタにそれぞれ抵抗を介して１３Ｖと２１Ｖが並列に供給されるＮＰＮ型の第四のトランジスタと、上記第三のトランジスタのコレクタに対して抵抗を介してベースが接続されつつコレクタにそれぞれ抵抗を介して１３Ｖと２１Ｖが並列に供給され、エミッタが抵抗を介して接地されるとともに同抵抗と並列に１０．８Ｖを上記液晶表示パネルに対して出力するＮＰＮ型の第五のトランジスタと、上記第四のトランジスタおよび上記第五のトランジスタのベースにカソードが接続されるとともにアノードが接地された第二のツェナダイオードと、エミッタが接地されつつベースにＰ−２５Ｖ−ＯＮ信号のハイレベルが入力されるとオンとなるとともにローレベルが入力されるとオフになるエピタキシャルプレーナＮＰＮ型の第六のトランジスタと、上記第六のトランジスタのコレクタに対してベースが接続されるとともにエミッタとベースが抵抗を介して接続され、エミッタには４０Ｖが供給されているＰＮＰ型の第七のトランジスタと、上記第七のトランジスタのエミッタに対して抵抗を介してコレクタが接続されるとともにベースが上記第七のトランジスタのコレクタに対して抵抗を介して接続され、エミッタが抵抗を介して接地されるとともに同抵抗と並列に２５Ｖを上記液晶表示パネルに対して出力するＮＰＮ型の第八のトランジスタと、上記第八のトランジスタのベースにカソードが接続されるとともにアノードが接地される第三のツェナダイオードと、を備え、当該液晶テレビジョン装置の電源がオンされると、上記Ｐ−ＯＮ−Ｈ信号がハイレベルとなるとともに次いで上記Ｐ−２５Ｖ−ＯＮ信号もハイレベルとなることにより上記液晶表示パネルに対して３．３Ｖ、１０．８Ｖ、２５Ｖの順に電圧を供給するとともに、当該液晶テレビジョン装置の電源がオフされると上記Ｐ−２５Ｖ−ＯＮ信号もローレベルとなるとともに次いで上記Ｐ−ＯＮ−Ｈ信号がローレベルとなることにより２５Ｖ、１０．８Ｖ、３．３Ｖの順に電圧の供給を停止する構成としてある。
上記のように構成した請求項１にかかる発明においては、液晶テレビジョン装置がオンとなると、まず、３．３Ｖがそのまま上記３．３Ｖラインを経由して上記液晶表示装置に対して供給される。次いで、第一のトランジスタがオンとなり、上記マイコンよりＰ−２５Ｖ−ＯＮ信号のハイレベルが入力されると上記第二のトランジスタがオンとなり、第三のトランジスタ、第四および第五のトランジスタの順でオンとなって１０．８Ｖが上記液晶表示パネルに対して供給される。そして、上記Ｐ−ＯＮ−Ｈ信号のハイレベルより遅れてＰ−２５Ｖ−ＯＮ信号のハイレベルが上記第六のトランジスタのベースに入力されて同第六のトランジスタがオンとなり、これにより第七のトランジスタがオンとなって、さらに第八のトランジスタがオンとなるため上記液晶表示パネルに２５Ｖが供給される。
【００５８】
また、液晶テレビジョン装置がオフとなると、まず、上記Ｐ−２５Ｖ−ＯＮ信号がローレベルとなり第六のトランジスタがオフとなるため、上記第七のトランジスタおよび上記第八のトランジスタもオフとなる。次いで、上記Ｐ−２５Ｖ−ＯＮ信号のローレベルより送れて上記Ｐ−ＯＮ−Ｈ信号もローレベルとなるため、上記第二のトランジスタがオフとなる。このとき、上記第三のトランジスタのベースに印加される電圧が、上記第一のツェナダイオードにて決定されるツェナ電圧にまで下がると上記第三のトランジスタのベースから上記第一のトランジスタのコレクタに電流が流れなくなり、第三のトランジスタがオフとなる。そして、上記電源回路からの電源電圧供給が停止されると上記液晶表示パネルに対する３．３Ｖの供給が停止され、第一のトランジスタもオフとなる。
【００５９】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００６０】
【図１】本実施例における液晶テレビジョン装置の概略構成を説明するブロック図である。
【図２】本実施例におけるシーケンス回路である。
【図３】従来のシーケンス回路である。
【符号の説明】
【００６１】
１１ａ…マイコン
１１ｂ…チューナ
１１ｃ…液晶表示パネル
１１ｅ…スピーカ
１１ｇ…リモコン
１２…電源回路
Ｄ５０７…ツェナダイオード
Ｄ５１９…ツェナダイオード
Ｄ５０３…ツェナダイオード
Ｄ５０２…ツェナダイオード
Ｑ５０１…トランジスタ
Ｑ５０２…トランジスタ
Ｑ５０５…トランジスタ
Ｑ５０５’…トランジスタ
Ｑ５０７…トランジスタ
Ｑ５０９…トランジスタ
Ｑ５１１…トランジスタ
Ｑ５１３…トランジスタ
Ｒ５２０…抵抗
Ｒ５１６…抵抗
Ｒ５１７…抵抗
Ｒ５１８…抵抗
Ｒ５１３…抵抗
Ｒ５１１…抵抗
Ｒ５１２…抵抗
Ｒ５０８…抵抗
Ｒ５３４…抵抗
Ｒ５０９…抵抗
Ｒ５２２…抵抗
Ｒ５５２…抵抗
Ｒ５３２…抵抗
Ｒ５２７…抵抗
Ｒ５１０…抵抗
Ｒ５０５…抵抗
Ｒ５０４…抵抗
Ｒ５２８…抵抗
Ｒ５２７…抵抗
【図１】
2007288272.tif 000003
【図２】
2007288272.tif 000004
【図３】
2007288272.tif 000005